(57)【要約】【課題】  分解効率を高めることができる生ゴミ処理装置を提供する。【解決手段】  ＩＣカード読み取り有りと判断した場合（Ｓ１）、ＩＣカードの記憶内容を読み取り（Ｓ２）、生ゴミを投入可能な投入時間帯内に読み取り操作が行われたか否かを判断する（Ｓ３）。投入時間帯内での読み取り操作の場合、記憶内容の照合をした後（Ｓ５）、記憶内容を管理データ領域に記憶して蓄積する（Ｓ７）。そして、装置本体内の攪拌棒を停止し（Ｓ８）、電気錠でロック機構をアンロック状態に制御することで、閉鎖時に自動ロックされた投入扉を、開放を許容するアンロック状態にする（Ｓ９）。【選択図】        図３
2005074274.tif 000002
【特許請求の範囲】
【請求項１】
扉で開閉される投入口から生ゴミを装置本体内へ投入して分解処理する際に、生ゴミの投入を許容する時間帯が予め投入時間帯として設定された生ゴミ処理装置において、
利用者に予め付与された記憶媒体の読み取り操作が行われた際に、該記憶媒体に記憶された記憶内容を読み取る読取手段と、
前記読み取り操作が行われた際に、前記投入時間帯内に前記読み取り操作が行われたか否かを判断する投入時間判断手段と、
前記投入時間帯内に前記読み取り操作が行われたと判断した際に、閉鎖時に前記扉の開放を禁止したロック装置を、前記扉の開放を許容するアンロック状態にするアンロック手段と、
を備えたことを特徴とする生ゴミ処理装置。
【請求項２】
前記記憶媒体に記憶された前記記憶内容は、当該記憶媒体が付与された利用者を特定する特定データを含み、
前記投入時間帯内に前記読み取り操作が行われたと判断した際に、前記読取手段で読み取った前記記憶内容を記憶する投入履歴記憶手段を備えたことを特徴とする請求項１記載の生ゴミ処理装置。
【発明の詳細な説明】
【技術分野】
【０００１】
本発明は、例えば家庭等で発生する生ゴミを分解処理する際に使用する生ゴミ処理装置に関する。
【背景技術】
【０００２】
従来、家庭等で発生する生ゴミを処理する際には、生ゴミ処理装置が使用されていた。
【０００３】
この生ゴミ処理装置は、扉で開閉される投入口を備えた装置本体からなり、該装置本体内には、生ゴミを分解する微生物が収容されている。
【０００４】
この生ゴミ処理装置で生ゴミを処理する際には、生ゴミを投入口から装置本体内に投入する。すると、装置本体内の微生物によって生ゴミが分解処理されるように構成されている。
【発明の開示】
【発明が解決しようとする課題】
【０００５】
ここで、生ゴミを効率良く分解処理するには、生ゴミを投入して分解処理を開始してから分解処理が完了するまでは、新たな生ゴミを追加しないこととされている。
【０００６】
しかしながら、前述した従来の生ゴミ処理装置にあっては、何時でも生ゴミを投入することができてしまう。このため、生ゴミの分解が遅れるという問題が発生してしまう。
【０００７】
本発明は、このような従来の課題に鑑みてなされたものであり、分解効率を高めることができる生ゴミ処理装置を提供することを目的とするものである。
【課題を解決するための手段】
【０００８】
前記課題を解決するために本発明の請求項１の生ゴミ処理装置にあっては、扉で開閉される投入口から生ゴミを装置本体内へ投入して分解処理する際に、生ゴミの投入を許容する時間帯が予め投入時間帯として設定された生ゴミ処理装置において、利用者に予め付与された記憶媒体の読み取り操作が行われた際に、該記憶媒体に記憶された記憶内容を読み取る読取手段と、前記読み取り操作が行われた際に、前記投入時間帯内に前記読み取り操作が行われたか否かを判断する投入時間判断手段と、前記投入時間帯内に前記読み取り操作が行われたと判断した際に、閉鎖時に前記扉の開放を禁止したロック装置を、前記扉の開放を許容するアンロック状態にするアンロック手段と、を備えている。
【０００９】
すなわち、利用者が生ゴミを処理する際に、付与された記憶媒体の読み取り操作を行うと、この記憶媒体の記憶内容が読み取られる。このとき、生ゴミの投入を許容する投入時間帯に読み取り操作が行われたか否かが判断され、前記投入時間帯内に読み取り操作が行われた場合には、扉をロックしたロック装置がアンロック状態となり、投入口を閉鎖した扉の開放が許容される。
【００１０】
これにより、前記投入時間帯での生ゴミの投入は許容される一方、前記投入時間帯以外での生ゴミの投入は禁止される。
【００１１】
そして、扉が開放され、投入口より生ゴミが投入され分解処理される。
【００１２】
また、請求項２の生ゴミ処理装置においては、前記記憶媒体に記憶された前記記憶内容は、当該記憶媒体が付与された利用者を特定する特定データを含み、前記投入時間帯内に前記読み取り操作が行われたと判断した際に、前記読取手段で読み取った前記記憶内容を記憶する投入履歴記憶手段を備えた。
【００１３】
すなわち、投入時間帯内に読み取り操作が行われた際には、記憶媒体から読み取った記憶内容、つまり当該記憶媒体が付与された利用者を特定する特定データを含む記憶内容が記憶される。
【００１４】
これにより、生ゴミを投入した利用者の履歴が記録される。
【発明の効果】
【００１５】
以上説明したように本発明の請求項１の生ゴミ処理装置にあっては、扉の開放を制限するロック装置により、生ゴミの投入を許容する投入時間帯での生ゴミの投入は許容する一方、前記投入時間帯以外での生ゴミの投入を禁止することができる。
【００１６】
したがって、生ゴミを何時でも投入することができるため、生ゴミの分解処理を開始してから分解処理が完了するまでの処理時間帯に新たな生ゴミが追加される恐れがあった従来の生ゴミ処理装置と比較して、生ゴミの分解効率を向上することができる。
【００１７】
これにより、生ゴミの分解処理が完了する時間帯に残渣の回収を行う際に、生ゴミが残存し、残渣を回収することができないといった不具合を防止することができる。
【００１８】
また、請求項２の生ゴミ処理装置においては、投入履歴記憶手段で記憶された内容を読み出すことで、生ゴミを投入した利用者履歴の記録を参照するすることができる。
【００１９】
これにより、例えば分解処理が不能なゴミが投入されていた場合には、これを利用者に伝えることができる。
【発明を実施するための最良の形態】
【００２０】
以下、本発明の一実施の形態を図面に従って説明する。図１は、本実施の形態にかかる生ゴミ処理装置１を示す図であり、該生ゴミ処理装置１は、例えばマンション等に設置され各家庭で発生した生ゴミを処理する装置である。
【００２１】
この生ゴミ処理装置１の装置本体１１内には、生ゴミを収容する収容空間が設けられており、該収容空間には、生ゴミを分解する微生物と菌床とが収容されている。また、この装置本体１１は、収容空間内部を攪拌する攪拌棒を備えており、該攪拌棒は、駆動装置によって回転駆動されるように構成されている。
【００２２】
前記装置本体１１の前面２１には、内部に連通する投入口と（投入扉２２で閉鎖された状態を図示）、該投入口を開閉する投入扉２２とが設けられており、該投入扉２２を開放して生ゴミを投入口から収容空間内へ投入できるように構成されている。前記投入扉２２は、左側部がヒンジ２３，２３で装置本体１１に支持されており、他側部には、開放時に操作するハンドル２４が設けられている。
【００２３】
この投入扉２２の右側部には、電動式のロック装置３１が設けられている。該ロック装置３１は、前記投入扉２２が閉鎖される度に、前記投入扉２２と係合して当該投入扉２２の開放を禁止したロック状態を自動的に形成するように構成されており、このロック状態では、前記ハンドル２４を操作しても投入扉２２を開放できないように構成されている。また、電動で解錠制御が行われた際には、前記投入扉２２との係合を解除して当該投入扉２２の開放を許容するアンロック状態を形成するように構成されており、このアンロック状態では、前記ハンドル２４を操作することにより当該投入扉２２を開放できるように構成されている。
【００２４】
また、このロック装置３１は、ＩＣカードリーダー４１を備えており、当該生ゴミ処理装置１を利用可能な利用者に予め付与された記憶媒体であるＩＣカード４２を認識する受信部４３が設けられている。前記ＩＣカード４２は、記憶内容としてのデータを記憶するチップを備えており、このチップには、当該ＩＣカード４２が付与された利用者を特定する為のＩＤコード等からなる特定データが記憶されている。
【００２５】
そして、前記ＩＣカードリーダー４１は、前記ＩＣカード４２が前記受信部４３に認識された際に、当該ＩＣカード４２から前記チップに記憶された前記特定コード等の記憶内容を読み出すように構成されている。
【００２６】
この装置本体１１は、図２に示すように、時計機能を有する制御装置５１を備えており、該制御装置５１の制御部５２には、前記ＩＣカードリーダー４１と、前記ロック機構３１を電動でアンロック状態に制御する電気錠５３とが接続され、手動の鍵で施錠する場合と比較して利便性の向上が図られている。また、前記制御部５２には、利用者に対して表示を行う表示器５４と、音を発生するスピーカー５５と、前記攪拌棒を回転駆動する駆動モータ５６とが接続されている。
【００２７】
ここで、本生ゴミ処理装置１で生ゴミを効率良く分解処理するには、生ゴミを投入して分解処理を開始してから分解処理が完了するまでは、新たな生ゴミを追加しないようにしなければならない。また、生ゴミを微生物で分解処理するため、生ゴミの分解を開始してから分解が終了するまでの分解サイクルが微生物の活動リズムによって２４時間とされており、例えば朝方に生ゴミを投入したら、微生物の活動が活発になる５時間後の昼から夜にかけて分解処理を行うことが望ましい。
【００２８】
これらの理由から、当該生ゴミ処理装置１では、生ゴミの投入を許容する時間帯である投入時間帯を、午前八時から十時までの二時間と定めた場合に、生ゴミを分解処理する時間帯である処理時間帯を、午前十時から翌朝の八時までと定め、前記投入時間帯を、前記制御部５２が備えたメモリに予め記憶しておく。
【００２９】
以上の構成にかかる本実施の形態の動作を、図３に示すフローチャートに従って説明する。
【００３０】
すなわち、利用者が生ゴミを処理する際に、付与されたＩＣカード４２をＩＣカードリーダー４１の受信部４３へ認識させて読み取り操作を行う。すると、前記制御部５２は、カード読み取り有りと判断して（Ｓ１）、このＩＣカード４２のチップに記憶された特定データ等の記憶内容を読み取る（Ｓ２）。そして、内蔵した時計機能によって前記読み取り操作が行われた時刻を取得するとともに、内蔵のメモリに記憶された生ゴミの投入を許容する投入時間帯を読み出して、前記投入時間帯内に読み取り操作が行われたか否かを判断する（Ｓ３）。
【００３１】
このとき、前記投入時間帯以外に前記読み取り操作が行われたと判断した場合には、生ゴミの投入時間を厳守する旨を、表示器５４に表示するとともにスピーカー５５から報知して（Ｓ４）、前記カードリーダー４１でＩＣカード４２の読み取り操作が行われるまで待機する前記ステップＳ１へ分岐する。
【００３２】
前記ステップＳ３にて、前記投入時間帯内に読み取り操作が行われたと判断した際には、前記ＩＣカード４２から読み取られた記憶内容の特定データを、内蔵のメモリに記憶された利用可能者データベースと照合し、当該生ゴミ処理装置１を利用することができる利用者が所有するＩＣカード４２であるか否かを判断する（Ｓ５）。このとき、前記特定データが前記利用可能者データベースに無い場合には、カード情報が正しくない旨を、表示器５４に表示するとともにスピーカー５５から報知して（Ｓ６）、前記カードリーダー４１でＩＣカード４２の読み取り操作が行われるまで待機する前記ステップＳ１へ分岐する。これにより、利用者以外の者が生ゴミを投入してしまうという問題を防止することができる。
【００３３】
前記ステップＳ５にて、前記特定データが前記利用可能者データベースに在ると判断した場合には、この特定データを含む記憶内容を、内蔵の時計機能から得られた現在時刻と共に、内蔵のメモリ確保された管理データ領域に記憶して蓄積する（Ｓ７）。そして、前記駆動モータ５６を停止して装置本体１１内の攪拌棒の回転を停止し（Ｓ８）、電気錠５３でロック機構３１をアンロック状態に制御することで、閉鎖時に自動ロックされた投入扉２２を、開放が許容されたアンロック状態として（Ｓ９）、メインルーチンへ戻る。これにより、利用者は、前記投入扉２２のハンドル２４を操作して投入扉２２を開放し、投入口より生ゴミを投入することができる。
【００３４】
このように、投入扉２２の開放を制限するロック装置３１により、生ゴミの投入を許容する投入時間帯での生ゴミの投入は許容する一方、前記投入時間帯以外での生ゴミの投入を禁止することができる。
【００３５】
したがって、生ゴミを何時でも投入することができるため、生ゴミの分解処理を開始してから分解処理が完了するまでの処理時間帯に新たな生ゴミが追加される恐れがあった従来の生ゴミ処理装置と比較して、生ゴミの分解効率を向上することができる。
【００３６】
これにより、生ゴミの分解処理が完了する時間帯に残渣の回収を行う際に、生ゴミが残存し、残渣を回収することができないといった不具合を防止することができる。
【００３７】
また、投入時間帯内にＩＣカード４２の読み取り操作が行われた際には、ＩＣカード４２のチップから読み取った記憶内容、つまり当該ＩＣカード４２が付与された利用者を特定する特定データを含む記憶内容は、その時刻と共に制御部５２内蔵のメモリに記憶され、生ゴミを投入した利用者の履歴として管理データ領域に記録される。
【００３８】
このため、この内容を読み出すことで、生ゴミを投入した利用者履歴の記録を参照するすることができる。よって、例えば分解処理が不能なゴミが投入されていた場合には、これを利用者に伝えることができ、利用者の利用意識の向上を図ることができる。
【００３９】
また、一日における生ゴミの投入回数を管理することもできる。これにより、分解処理の許容量を超えた生ゴミの投入防止策を事前に検討することも可能となる。
【図面の簡単な説明】
【００４０】
【図１】本発明の一実施の形態を示す正面図である。
【図２】同実施の形態を示すブロック図である。
【図３】同実施の形態の動作を示すフローチャートである。
【符号の説明】
【００４１】
１    生ゴミ処理装置
１１    装置本体
２２    投入扉
３１    ロック装置
４１    ＩＣカードリーダー
４２    ＩＣカード
５２    制御部
５３    電気錠
【図１】
2005074274.tif 000003
【図２】
2005074274.tif 000004
【図３】
2005074274.tif 000005